(57)【特許請求の範囲】
【請求項１】
外部通信装置を接続可能なデータ通信装置において、
上記外部通信装置が自動的に応答を開始するまでに受信する着呼信号の回数を、予め設定する着呼信号受信回数設定手段と；
上記着呼信号に対する上記外部通信装置の応答を検出する応答検出手段と；
上記外部通信装置の応答を上記応答検出手段が検出するまでに受信した着呼信号をカウントする着呼信号カウント手段と；
上記着呼信号がデータ通信のための着呼であるか否かを判別する判別手段と；
上記応答検出手段が上記外部通信装置の応答を検出した場合に、上記設定手段によって予め設定された回数と、上記カウント手段がカウントした値とに応じて、上記判別手段に上記判別を行わせる処理と、上記判別を行わせない処理とを選択的に制御する制御手段と；
を有し、上記制御手段は、上記カウント手段によるカウント値が、上記設定手段によって予め設定された回数以上である場合は上記判別を行わせる処理を選択し、上記設定手段によって予め設定された回数よりも少ない場合は上記判別を行わせない処理を選択する手段であることを特徴とするデータ通信装置
【請求項２】
請求項１において、
上記外部通信装置が着呼に対して自動的に応答する自動応答モードを設定するモード設定手段を有し、
上記制御手段は、上記モード設定手段による設定に応じて、上記制御を行うことを特徴とするデータ通信装置。
【請求項３】
請求項１において、
上記判別手段は、データ通信を示す信号の検出に基づいて、上記判別を行う手段であることを特徴とするデータ通信装置。
【請求項４】
請求項１において、
上記判別手段は、所定時間以上の無音の検出に基づいて、上記判別を行う手段であることを特徴とするデータ通信装置。
【請求項５】
請求項１において、
上記設定手段により予め設定された回数は、オペレータによって登録された値であることを特徴とするデータ通信装置。
【請求項６】
請求項１において、
上記設定手段により予め設定された回数は、自動的に登録される値であることを特徴とするデータ通信装置。
【請求項７】
請求項１において、
上記応答検出手段は、回線の直流ループに基づいて、上記外部通信装置の応答を検出する手段であることを特徴とするデータ通信装置。
【請求項８】
請求項１において、
上記応答検出手段は、上記外部通信装置からの信号に基づいて、上記外部通信装置の応答を検出する手段であることを特徴とするデータ通信装置。
【請求項９】
請求項８において、
上記外部通信装置からの信号は、音声メッセージであることを特徴とするデータ通信装置。
【請求項１０】
請求項１において、
上記制御手段は、上記判別を行っている最中に、上記外部通信装置を操作する信号が検出された場合は、上記判別を中止することを特徴とするデータ通信装置。
【請求項１１】
請求項１において、
上記判別手段は、上記判別が所定時間行われる手段であることを特徴とするデータ通信装置。
【請求項１２】
請求項１において、
上記カウント手段によるカウント値が所定値以上になっても上記外部通信装置の応答が検出されない場合は、所定の警告を行うことを特徴とするデータ通信装置。
【請求項１３】
請求項１２において、
上記所定の警告は、上記外部通信装置が接続されているか否かの確認を使用者に促すための可視的あるいは可聴的手段によって行われることを特徴とするデータ通信装置。
【請求項１４】
請求項１において、
上記データ通信装置は、ファクシミリ装置であり、
上記判別手段は、ファクシミリ通信を示す信号、あるいは、所定時間以上の無音の検出に応じて、上記判別を行う手段であることを特徴とするデータ通信装置。
【発明の詳細な説明】
【０００１】
【産業上の利用分野】
本発明は、外部通信装置を接続可能なデータ通信装置に関する。
【０００２】
【従来の技術】
従来より、１台の電話機を接続可能なファクシミリ装置において、留守番電話ダイレクト接続モードが選択されている時に、常に留守番電話が接続され、かつ、留守録モードを行うと判断して制御を行っていた。
【０００３】
【発明が解決しようとする課題】
しかしながら、上記従来例においては、常時留守番電話ダイレクト接続モードに設定して使用したいユーザにとっては、使いづらいものとなる。
【０００４】
つまり、常態として、留守番電話ダイレクト接続モードに設定しておき、そばに使用者がいる場合には、着信時に、留守番電話の受話器をオフフックし、相手が人間であれば通話し、相手がファクシミリであれば、通信ボタンを押下する。また、使用者がいない場合には、本来の留守番機能の動作により、着信に対して留守番電話が自動的に応答し、相手が人間であれば留守録の処理に移行し、相手がファクシミリであれば、ＣＮＧ信号あるいは無音の検出により、自動的にファクシミリ通信に移行するというような使い方をしたい場合がある。
【０００５】
ところが、上述のように従来のファクシミリ装置では、留守番電話ダイレクト接続モードにおいて、着信時にそばに使用者がいて、たとえ留守番電話の受話器をオフフックし、相手が人であることを知って通話を行なおうとした場合でも、装置側では留守番電話が自動的に応答したと判断し、ＣＮＧ信号あるいは無音の検出に移行し、何らかの誤検出が生じた場合には、ファクシミリ通信へ移行してしまう。
【０００６】
したがって、上記のように常態として留守番電話ダイレクト接続モードに設定した形態では、円滑な使用が困難であり、システムを柔軟に活用する上で不便であった。
【０００７】
本発明は、自動応答を行う外部通信装置が、手動応答で通話されている最中に、着信をデータ通信へ切換えてしまうといった誤動作を防止することを目的とする。
【０００８】
【課題を解決するための手段】
本発明は、外部通信装置を接続可能なデータ通信装置において、上記外部通信装置が自動的に応答を開始するまでに受信する着呼信号の回数を、予め設定する着呼信号受信回数設定手段と、上記着呼信号に対する上記外部通信装置の応答を検出する応答検出手段と、上記外部通信装置の応答を上記応答検出手段が検出するまでに受信した着呼信号をカウントする着呼信号カウント手段と、上記着呼信号がデータ通信のための着呼であるか否かを判別する判別手段と、上記応答検出手段が上記外部通信装置の応答を検出した場合に、上記設定手段によって予め設定された回数と、上記カウント手段がカウントした値とに応じて、上記判別手段に上記判別を行わせる処理と、上記判別を行わせない処理とを選択的に制御する制御手段とを有し、上記制御手段は、上記カウント手段によるカウント値が、上記設定手段によって予め設定された回数以上である場合は上記判別を行わせる処理を選択し、上記設定手段によって予め設定された回数よりも少ない場合は上記判別を行わせない処理を選択する手段であるデータ通信装置である。
【００１０】
【実施例】
図１は、本発明によるファクシミリ装置の実施例を示すブロック図である。
【００１１】
図１において、接続端子８（Ｌ１、Ｌ２）は、電話回線に接続される。すなわち、信号線１ａ、１ｂは電話回線であり、これはＣＭＬリレー２に接続される。ＣＭＬリレー２は、信号線６０ａに信号レベル「０」の信号が出力されている時には、ＣＭＬをオフ、すなわち、信号線１ａ、１ｂは信号線３ａ、３ｂに接続され、信号線６０ａに信号レベル「１」の信号が出力されている時には、ＣＭＬはオン、すなわち、信号線１ａ、１ｂは信号線２ａ、２ｂに接続される。
【００１２】
ＣＭＬリレー２がオン時には、トランス（ｔ２）６を介して信号線２ａ、２ｂは信号線５ａ、５ｂに接続され、そして、ファクシミリ通信部に接続される。また、ＣＭＬリレー２がオフの時には、オフフック検知回路１１を経由して、信号線６ａ、６ｂを介して接続端子１０（Ｔ１、Ｔ２）により、留守番電話あるいは普通の電話機に接続され、また、呼出信号検出回路１２にも接続される。
【００１３】
検出回路１１は、接続端子（Ｔ１、Ｔ２）１０に接続されている電話機がオフフックされているか否かを検出する回路であり、オフフックしている時には、信号線１１ａに信号レベル「１」の信号を出力し、オンフックしている時には、信号線１１ａに信号レベル「０」の信号を出力する。
【００１４】
呼出信号検出回路１２は、信号線３ａ、３ｂに出力されている信号を入力し、呼出信号を検出する毎に、信号線１２ａにパルスを発生する。
【００１５】
また、信号線３ａ、３ｂはトランス（ｔ１）４を介して信号線４ａ、４ｂに接続される。また、信号線４ａ、４ｂには、ＣＮＧ信号検出回路１４、ＤＴＭＦ検出回路１６、無音検出回路１８、音声認識回路４０に接続される。
【００１６】
ＣＮＧ信号検出回路１４は、信号線４ａ、４ｂに出力されている信号を入力し、１１００Ｈｚの信号を検出している時に信号線１４ａに信号レベル「１」の信号を出力し、１１００Ｈｚの信号を検出していない時には、信号線１４ａに信号レベル「０」の信号を出力する。
【００１７】
ＤＴＭＦ検出回路１６は、信号線４ａ、４ｂに出力されている信号を入力し、検出したＤＴＭＦ信号をコード情報として信号線１６ａに出力する。
【００１８】
無音検出回路１８は、信号線４ａ、４ｂに出力されている信号を入力し、無音（例えば、−３８ｄＢｎ以下の信号）を検出している時には、信号線１８ａに信号レベル「１」の信号を出力し、有音（例えば、−３８ｄＢｎを超える信号）を検出している時には、信号線１８ａに信号レベル「１」の信号を出力する。
【００１９】
音声認識回路４０は、信号線４ａ、４ｂに出力されている信号を入力し、認識している音声情報を信号線４０ａに出力する。
【００２０】
ハイブリッド回路２０は、送信系の信号と受信系の信号とを分離し、加算回路３０からの送信信号を信号線５ａ、５ｂ、２ａ、２ｂ経由で電話回線（１ａ、１ｂ）に送出し、相手側からの信号を電話回線（１ａ、１ｂ）、信号線２ａ、２ｂ経由で信号線５ａ、５ｂより受取り、信号線２０ａ経由でＶ２９復調器３４およびＶ２１復調器３２に送るものである。
【００２１】
Ｖ２１変調器２２は、公知のＣＣＩＴＴ勧告Ｖ２１に基づいた変調を行なう変調器であり、制御回路６０からの手順信号（信号線６０ｂ）を変調し、信号線２２ａを通して加算回路３０に送出するものである。
【００２２】
読取回路２４は、送信原稿から主走査方向１ライン分の画像信号を順次読み取り、白、黒の２値を表す信号列を作成し、このデータを信号線２４ａから符号化回路２６に送るものであり、ＣＣＤ（電荷結合素子）等の撮像素子と光学系とで構成されている。
【００２３】
符号化回路２６は、信号線２４ａに出力されている読取データを入力して、符号化（ＭＨ符号化あるいはＭＲ符号化）を行い、信号線２６ａより出力するものである。
【００２４】
Ｖ２７ｔｅｒ  またはＶ２９変調器２８は、信号線２６ａからの符号化データを入力し、公知のＣＣＩＴＴ勧告Ｖ２７ｔｅｒ  （差動位相変調）またはＶ２９（直交変調）に基づいた変調を行ない、この変調データを信号線２８ａを通して加算回路３０に出力する。
【００２５】
加算回路３０は、変調器２２、２８の出力を加算する回路である。加算回路３０の出力は、ハイブリッド回路２０に送られる。
【００２６】
Ｖ２１復調器３２は、公知のＣＣＩＴＴ勧告Ｖ２１に基づいた復調を行なうものである。この復調器３２は、信号線２０ａによりハイブリッド回路２０からの手順信号を入力し、Ｖ２１復調を行い、復調データを信号線３２ａを通して制御回路６０に送る。
【００２７】
Ｖ２７ｔｅｒ  またはＶ２９復調器３４は、公知のＣＣＩＴＴ勧告Ｖ２７ｔｅｒ  またはＶ２９に基づいた復調を行なうものである。この復調器３４は、ハイブリッド回路２０からの変調画像信号を入力し、復調を行って復調データを信号線３４ａより復号化回路３６に送出する。
【００２８】
復号化回路３６は、信号線３４ａからのデータの復号化（ＭＨ復号化あるいはＭＲ復号化）を行う回路であり、その復号化したデータを、信号線３６ａを介して記録回路３８に出力する。
【００２９】
記録回路３８は、信号線３６ａに出力されているデータを入力し、順次１ラインずつ記録を行うものである。
【００３０】
着信モード切換ボタン４２は、着信モードの切換えに使用するボタンであり、このボタンが押下される毎に、信号線４２ａに押下パルスを発生する。
【００３１】
表示回路４４は、着信モードの表示回路であり、信号線６０ｃに信号「０」が出力されると「自動着信」と表示し、信号線６０ｃに信号「１」が出力されると「手動着信」と表示し、信号線６０ｃに信号「２」が出力されると「留守番電話ダイレクト接続モード」と表示し、信号線６０ｃに信号「３」が出力されると「ＦＡＸ／ＴＥＬ自動切換モード」と表示する。
【００３２】
そして、それ以後は、信号線４２ａにパルスが発生する毎に、「自動着信」→「手動着信」→「留守番電話ダイレクト接続モード」→「ＦＡＸ／ＴＥＬ自動切換モード」→「自動着信」の順で表示の切り換えを繰り返す。また、再度信号線６０ｃに新たな情報がセットされた時には、その情報に基づいた表示を行う。
【００３３】
そして、この表示回路４４は、「自動着信」と表示している時には、信号線４４ａに信号「０」を出力し、「手動着信」と表示している時には、信号線４４ａに信号「１」を出力し、「留守番電話ダイレクト接続モード」と表示している時には、信号線４４ａに信号「２」を出力し、「ＦＡＸ／ＴＥＬ自動切換モード」と表示している時には、信号線４４ａに信号「３」を出力する。
【００３４】
登録ボタン４６は、留守番電話を起動する呼出信号の検出回路をファクシミリ装置側にも登録する時に使用するボタンである。このボタンが押下されると、信号線４６ａに押下パルスが発生する。
【００３５】
セットキー４８は、各種の設定を確定するためのキーであり、このキーが押下されると、信号線４８ａに押下パルスが発生する。
【００３６】
テンキー５０は、ダイヤル番号等の入力を行うものであり、押下されたテンキー情報は信号線５０ａに出力される。
【００３７】
登録回路５２は、留守番電話を起動する呼出信号の検出回路を登録する回路である。この登録回路５２に登録する時には、信号線５２ａに回数情報を出力後、信号線６０ｄにライトパルスを発生する。また、この登録回路５２に登録されている情報を読み出す時には、信号線６０ｅにリードパルスを発生する。そうすると、登録回路５２に登録されている情報は信号線５２ａに出力される。
【００３８】
記憶回路５４は、留守番電話に録音されている音声を記憶する回路である。この記憶回路５４に記憶する時には、信号線５４ａに音声情報を出力後、信号線６０ｆにライトを発生する。一方、記憶されている情報を読み出す時には、信号線６０ｇにリードパルスを発生する。そうすると、記憶回路５４に登録されている音声情報が信号線５４ａに出力される。
【００３９】
アラーム発生回路５６は、信号線６０ｈに信号レベル「１」の信号が出力されている時には、アラームを発生し、信号線６０ｈに信号レベル「０」の信号が出力されている時にはアラームを発生しない。
【００４０】
表示回路５８は、留守番電話が接続されているか否かの確認をしてほしい旨の表示を行う回路であり、信号線６０ｉに信号レベル「１」の信号が出力されている時には表示を行い、信号線６０ｉに信号レベル「０」の信号が出力されている時には表示を行わない。
【００４１】
制御回路６０は、本実施例における１台の電話機を接続可能なファクシミリ装置において、留守番電話ダイレクト接続モード、手動着信モード、自動着信モード、およびＦＡＸ／ＴＥＬ自動切換モードの着信手段と、呼出信号検出手段と、留守番電話接続時の留守番電話を起動するまでの呼出信号の検出回路登録手段とを制御し、留守番電話ダイレクト接続モード状態にて、上記登録した回数以前に、直流ループの閉結を検出した場合には、相手側から送出されるファクシミリ信号（ＣＮＧ信号）の検出、あるいは無音の検出を行わずに通話モードに専念し、上記登録した回数で直流ループの閉結を検出した場合には、相手側から送出されるファクシミリ信号（ＣＮＧ信号）の検出、あるいは無音の検出を行い、これらを検出した場合は、ファクシミリ通信に移行する。
【００４２】
また、留守番電話ダイレクト接続モードで、呼出し信号を検出し、留守番電話が応答したと判断した場合、ＤＴＭＦ信号を検出すると、相手側から送出されるファクシミリ信号の検出、あるいは無音の検出をせずに、留守録モードに専念する。さらに、留守番電話ダイレクト接続モードで、留守番電話が接続されていると判断した場合、留守番電話の応答を検出した時には、応答した時点から所定時間（例えば３５秒）だけ、相手側から送出されるファクシミリ信号の検出、あるいは無音の検出を行う。
【００４３】
図２〜図４は、本発明の第１実施例における制御回路６０の動作を示すフローチャートである。
【００４４】
図２において、Ｓ７２では、信号線６０ａに信号レベル「０」の信号を出力してＣＭＬをオフし、Ｓ７４では、信号線６０ｃに信号「０」を出力し、着信モード表示回路４４を「自動受信モード」にセットする。
【００４５】
Ｓ７６では、信号線６０ｈに信号レベル「０」の信号を出力してアラーム発生回路５６からアラームを発生しない状態に保持し、Ｓ７８では、信号線６０ｉに信号レベル「０」の信号を出力して留守番電話が接続されているかどうかの確認表示回路５８の表示をしない状態とする。
【００４６】
次に、Ｓ８０では、留守録起動までの呼出信号の回数の登録が選択されたか否かを判断し、選択されると、Ｓ８２に進み、登録回路５２に留守録起動までの呼出信号の回数の登録を行い、選択されていないと、Ｓ８４に進む。
【００４７】
Ｓ８４では、信号線１２ａの信号を入力し、呼出信号を１回検出したか否かを判断し、呼出信号を検出していないと、Ｓ８６に進み、その他の処理を行う。
【００４８】
また、呼出信号を１回検出すると、Ｓ８８に進む。Ｓ８８、Ｓ９０、Ｓ９２では、信号線４４ａの情報を入力し、着信モードを判断する。自動着信モードであると、Ｓ９４に進み、手動着信モードであると、Ｓ１０４に進み、留守番電話ダイレクト接続モードであると、Ｓ１２２に進み、ＦＡＸ／ＴＥＬ自動切り替えモードであると、Ｓ１０６に進む。
【００４９】
Ｓ９４では、信号線６０ａに信号レベル「１」の信号を出力してＣＭＬをオンし、Ｓ９６では、前手順を行う。そして、Ｓ９８では、画信号の受信を行い、Ｓ１００では、後手順を行う。さらに、Ｓ１０２では、信号線６０ａに信号レベル「０」の信号を出力してＣＭＬをオフし、Ｓ７６に戻る。
【００５０】
また、Ｓ１０４では、通話が行われ、その後、Ｓ７６に戻る。
【００５１】
また、Ｓ１０６では、信号線６０ａに信号レベル「１」の信号を出力してＣＭＬをオンし、Ｓ１０８では、タイマＴ１に５秒をセットする。そして、Ｓ１１０では、図示しないトーナルカウンタ回路により、ＣＮＧ信号を検出したか否かを判断し、ＣＮＧ信号を検出すると、Ｓ９６に進み、ＣＮＧ信号を検出していないと、Ｓ１１２に進む。
【００５２】
Ｓ１１２では、タイマＴ１がタイムオーバーしたか否かを判断し、タイマＴ１がタイムオーバーするとＳ１１４に進み、タイマＴ１がタイムオーバーしていないとＳ１１０に進む。
【００５３】
Ｓ１１４では、不図示のオペレータ呼出し回路からオペレータ呼出しを行う。このオペレータ呼出しは、Ｓ１１８のＹＥＳあるいはＳ１２０のＹＥＳにより中断する。次に、Ｓ１１６では、タイマＴ１に３０秒をセットし、Ｓ１１８では、信号線１１ａの信号を入力して、オフフックを検出したか否かを判断する。そして、オフフックを検出するとＳ１０４に進み、オフフックを検出していないとＳ１２０に進む。
【００５４】
Ｓ１２０では、タイマＴ１がタイムオーバーしたか否かを判断し、タイマＴ１がタイムオーバーしていると、Ｓ７６に進み、タイマＴ１がタイムオーバーしていないと、Ｓ１１８に戻る。
【００５５】
また、Ｓ１２２では、呼出信号の回数をカウントする呼出信号カウンタに１をセットする。そして、Ｓ１２４では、信号線１２ａの信号を入力し、呼出信号を検出したか否かを判断し、呼出信号を検出していると、Ｓ１２６に進み、呼出信号カウンタの値を１つインクリメントする。呼出信号を検出していないと、Ｓ１２８に進む。
【００５６】
Ｓ１２８では、呼出信号の周期は３秒であるので、４秒間呼出信号を検出していないか否かを判断し、４秒間呼出信号を検出していないと、Ｓ７６に進み、４秒以内に呼出信号を検出していると、Ｓ１３０に進む。
【００５７】
Ｓ１３０では、信号線１１ａの情報を入力し、電話機あるいは留守番電話により直流ループが閉結されたか否かを判断し、直流ループが閉結されると、Ｓ１３２に進み、直流ループが閉結されていないと、Ｓ１２４に進む。
【００５８】
Ｓ１３２では、呼出信号カウンタの値が登録回路５２に格納されている留守番電話を起動するための呼出信号の回数より小さいかどうかを判断し、小さい時には、留守番電話が応答したのではなく、人が受話器をオフフックしたと判断し、相手側から送出されるＣＮＧ信号の検出、あるいは無音の検出をせずにＳ１３４に進み、通話モードに専念する。
【００５９】
一方、呼出信号カウンタの値が登録回路５２に格納されている留守番電話を起動するための呼出信号の回数以上である時には、留守番電話が応答したと判断し、相手側から送出されるＣＮＧ信号の検出、あるいは無音の検出を行うために、Ｓ１３６に進む。
【００６０】
Ｓ１３６では、タイマＴ１に３５秒をセットする。留守番電話が応答したと判断した時点で、所定時間、例えば３５秒をセットする。すなわち、呼出信号の検出時に、このタイマをセットすると、留守番電話の応答が遅い場合、留守番電話が応答する前にタイムオーバーしてしまうことがあるので、留守番電話が応答した時点でタイマをセットする。
【００６１】
次に、Ｓ１３８では、信号線１４ａの信号を入力し、ＣＮＧ信号を検出したか否かを判断し、ＣＮＧ信号を検出すると、Ｓ９４に進んで通信を行い、ＣＮＧ信号を検出していないと、Ｓ１４０に進む。
【００６２】
Ｓ１４０では、例えば４秒以上の無音を検出したか、すなわち、相手側は手動での送信を選択しているか否かを判断し、４秒以上の無音を検出すると、Ｓ９４に進んで通信を行い、４秒以上の無音を検出していないとＳ１４２に進む。
【００６３】
Ｓ１４２では、信号線１６ａの情報を入力し、ＤＴＭＦ信号を検出したか否かを判断し、ＤＴＭＦ信号を検出していると、これは留守番電話のコントコールが選択されたと判断し、相手側から送出されるＣＮＧ信号の検出、あるいは無音の検出を行わずに、Ｓ１４６に進んで留守録に専念する。また、ＤＴＭＦ信号を検出していないと、Ｓ１４４に進む。
【００６４】
Ｓ１４４では、タイマＴ１がタイムオーバーしたか否かを判断し、タイムオーバーしていないと、Ｓ１３８に戻って検出を繰り返す。また、タイムオーバーすると、Ｓ１４６に進んで留守録に専念する。
【００６５】
次に、本発明の第２実施例について説明する。
【００６６】
この第２実施例では、呼出信号の回数が留守番電話接続時の留守番電話を起動するまでの呼出信号の検出回数を超えても自動応答しない場合には、留守番電話が接続されているかどうかの確認をユーザに促すためのメッセージを可視的手段としての表示回路５８や可聴的手段としてのアラーム発生回路５６によって出力する。
【００６７】
図５は、この第２実施例の動作のうち、上記第１実施例と異なる部分を示すフローチャートである。なお、装置の構成は、図１と共通であるものとする。
【００６８】
図５において、Ｓ１５０は上記Ｓ１３２のＮＯを表わしている。そして、Ｓ１５２では、呼出信号カウンタの値が登録回路５２に登録されている値に等しいか否か、すなわち留守番電話が応答したか否かを判断し、留守番電話が応答していると、Ｓ１５４（上記Ｓ１３６）に進み、留守番電話が応答していないと、Ｓ１５６に進む。
【００６９】
Ｓ１５６では、信号線６０ｉに信号レベル「１」の信号を出力して留守番電話が接続されているか否かの確認表示回路５８の表示を行う。なお、この表示は、オペレータの何らかのキー操作がないと消さない。このため、オペレータの操作がないうちは、上述したＳ７８に至った場合でも、この確認表示回路５８の表示を消す処理はスキップするものとする。
【００７０】
また、Ｓ１５８では、信号線６０ｈに信号レベル「１」の信号を所定時間、例えば３０秒間出力し、アラーム発生回路５６から所定時間アラームを発生する。なお、この第２実施例では、可聴的手段としてアラームを発生しているが、音声合成手段によりメッセージを出すようにしてもよい。
【００７１】
この後、Ｓ１６０で上記Ｓ８０以降に進む。
【００７２】
次に、本発明の第３実施例について説明する。
【００７３】
この第３実施例は、留守番電話が起動する回数を登録する手段をもたないファクシミリ装置について説明する。この場合、留守番電話ダイレクト接続モード状態にて、直流ループが閉結するまでの呼出信号の回数を常に調べて、留守番電話が起動するまでの呼出信号の検出回数を自動認識する。一例としては、常に留守番電話が起動する呼出信号の回数の最大値を記憶していき、これが所定回数（例えば、２０回）を超えない範囲で、かつ、最大値が３回連続続いたときとする。ここで、２０回という数は、留守番電話に設定されうる起動する呼出信号の数より大きい数とする。また、呼出信号が２０回を超えても、留守番電話が自動応答しない場合には、留守番電話が接続されているか確認を促すメッセージの表示およびアラームの出力を行う。
【００７４】
図６は、この第３実施例の動作のうち、上記第１実施例と異なる部分を示すフローチャートである。なお、装置の構成は、図１と共通であるものとする。
【００７５】
図６において、Ｓ１７０は上記Ｓ７８を表わしている。そして、Ｓ１７２では、登録回路５２に留守録起動までの呼出信号の回数のデフォルト値として、０をセットしておく。すなわち、留守番電話ダイレクト接続モードになっている時には、常に留守番電話が応答したと判断する。そして、Ｓ１７４で上記Ｓ８４に移行する。
【００７６】
また、Ｓ１７６は、上記Ｓ１３０のＹＥＳを表わしている。そして、Ｓ１７８では、呼出信号カウンタの過去３回の値を記憶しておく。
【００７７】
次に、Ｓ１８０では、今回の呼出信号のカウンタが２０回を超えたか否かを判断し、２０回を超えていると、Ｓ１８２（上記Ｓ１５６）に進み、２０回以下であるとＳ１８４に進む。
【００７８】
Ｓ１８４では、過去３回の呼出信号の回数が一致したか否かを判断する。そして、過去３回の呼出信号の回数が一致していると、Ｓ１８６に進み、一致していないと、Ｓ１８８（上記Ｓ１３２）に進む。
【００７９】
Ｓ１８６では、登録回路５２に過去３回一致した値を留守録起動までの呼出信号の回数と判断して記憶しておき、Ｓ１８８（上記Ｓ１３２）に進む。
【００８０】
次に、本発明の第４実施例について説明する。
【００８１】
この第４実施例は、上記第３実施例に対して、さらに音声認識手段を設け、留守番電話が応答した時には、常に同一の音声メッセージとなることを利用し、より正確に留守番電話が起動するまでの呼出信号の検出回数を正しく自動認識するようにしたものである。
【００８２】
図７は、この第４実施例の動作のうち、上記第１実施例と異なる部分を示すフローチャートである。なお、装置の構成は、図１と共通であるものとする。
【００８３】
図７において、Ｓ１９０は上記Ｓ１７８を表わしている。そして、Ｓ１９２では、過去３回の音声を信号線４０ａの情報を入力し、音声記憶回路５４に記憶しておく。この後、Ｓ１９４で上記Ｓ１８０に進む。
【００８４】
また、Ｓ１９６は、Ｓ１８４のＹＥＳを表わしている。そして、Ｓ１９８では、音声記憶回路５４に記憶されている音声メッセージを入力して、過去３回の音声メッセージは同一であるか否かを判断し、同一であるとＳ２００（上記Ｓ１８６）に進み、同一でないとＳ２０２（上記Ｓ１８８）に進む。
【００８５】
【発明の効果】
本発明によれば、外部通信装置が応答した後の処理を、その応答に応じて適切に選択して行うことができ、たとえば、外部通信装置が自動応答した場合には、データ通信のための着呼であるか否かを判別するので、着信を速やかにデータ通信へ切換えることができ、一方、外部通信装置がオペレータの操作によって手動応答した場合には、データ通信のための着呼であるか否かを判別しないので、オペレータの通話中に着信をデータ通信へ切換えるという誤動作を防止することができるという効果を奏する。
【図面の簡単な説明】
【図１】本発明の実施例を示すブロック図である。
【図２】本発明の第１実施例の動作を示すフローチャートである。
【図３】上記第１実施例の動作を示すフローチャートである。
【図４】上記第１実施例の動作を示すフローチャートである。
【図５】本発明の第２実施例の動作を示すフローチャートである。
【図６】本発明の第３実施例の動作を示すフローチャートである。
【図７】本発明の第４実施例の動作を示すフローチャートである。
【符号の説明】
２…ＣＭＬリレー、
１１…オフフック検出回路、
１２…呼出信号検出回路、
１４…ＣＮＧ信号検出回路、
１６…ＤＴＭＦ検出回路、
１８…無音検出回路、
２０…ハイブリッド回路、
２２、２８…変調器、
２４…読取回路、
２６…符号化回路、
３０…加算回路、
３２、３４…復調器、
３６…復号化回路、
３８…記録回路、
４０…音声認識回路、
４２…着信モード切換ボタン、
４４…着信モード表示回路、
４６…登録ボタン、
４８…セットキー、
５０…テンキー、
５２…登録回路、
５４…記憶回路、
５６…アラーム発生回路、
５８…確認表示回路、
６０…制御回路。
【図１】
0003576583.tif 000002
【図２】
0003576583.tif 000003
【図３】
0003576583.tif 000004
【図４】
0003576583.tif 000005
【図５】
0003576583.tif 000006
【図６】
0003576583.tif 000007
【図７】
0003576583.tif 000008